(57)【要約】      （修正有）【課題】トレッドミルを折畳むことができるトレッドミル用のフレームを提供する。【解決手段】トレッドミル用の折畳みフレームＡは、支持台１０と、２本のスタンド２０と、ハンドル３０とを有し、その内、該支持台の前端両側の上面に、中空状の管体である２つの挿設部１２が設けられ、該スタンドはそれぞれ、細長状の中空管体であり、下端に第一端２１が設けられ、上端に第二端２２が設けられ、該第一端が支持台１０の挿設部１２に枢設され、該第一端が少なくとも１つの下ファスナー２１３によって支持台１０の挿設部１２に固定され、該ハンドルの前端近傍の底面に結合部３１が凸設され、該結合部がスタンド２０の第二端２２に挿し込むように枢設され、該ハンドルが上ファスナー３１４によってスタンド２０の第二端２２に固定されるものである。【選択図】図２
0003191899.tif 000002
【実用新案登録請求の範囲】
【請求項１】
支持台と、２本のスタンドと、ハンドルとを有し、
その内、前記支持台の前端両側の上面に、中空状の管体である２つの挿設部が設けられ、
前記スタンドはそれぞれ、細長状の中空管体であり、下端に第一端が設けられ、上端に第二端が設けられ、該第一端が支持台の挿設部に枢設され、該第一端が少なくとも１つの下ファスナーによって支持台の挿設部に固定され、
前記ハンドルの前端近傍の底面に結合部が凸設され、該結合部がスタンドの第二端に挿し込むように枢設され、該ハンドルが上ファスナーによってスタンドの第二端に固定されることを特徴とするトレッドミル用の折畳みフレーム。
【請求項２】
前記スタンドの第一端が支持台の挿設部に環設され、該第一端の内面が挿設部の外面に当接されることを特徴とする請求項１に記載のトレッドミル用の折畳みフレーム。
【請求項３】
前記下ファスナーがスタンドの前面を通過して挿設部の前面に固定されることを特徴とする請求項２に記載のトレッドミル用の折畳みフレーム。
【請求項４】
前記スタンドの第一端が支持台の挿設部の内部に挿し込まれ、該第一端の外面が挿設部の内面に当接されることを特徴とする請求項１に記載のトレッドミル用の折畳みフレーム。
【請求項５】
前記下ファスナーが挿設部の前面を通過してスタンドの前面に固定されることを特徴とする請求項４に記載のトレッドミル用の折畳みフレーム。
【請求項６】
前記ハンドルの底面に位置決め部が横方向に延設され、該位置決め部がスタンドの内部に位置すると共に、上ファスナーがスタンド及び位置決め部に貫設されることを特徴とする請求項１乃至５の何れか１項に記載のトレッドミル用の折畳みフレーム。
【請求項７】
前記ハンドルの両側底部にそれぞれ固定タブが設けられ、該固定タブが結合部と垂直するように設けられてスタンドの前面に当接され、上ファスナーがスタンド及び固定タブに貫設されることを特徴とする請求項１乃至５の何れか１項に記載のトレッドミル用の折畳みフレーム。
【請求項８】
前記ハンドルの両側底部に２枚の保持タブが設けられ、これらの保持タブが平行するように結合部の左右両側に設けられてスタンドの両側を保持することを特徴とする請求項７に記載のトレッドミル用の折畳みフレーム。
【考案の詳細な説明】
【技術分野】
【０００１】
本考案は、特にトレッドミルを折畳むことができるトレッドミル用のフレームに関するものである。
【背景技術】
【０００２】
図１０に示すように、既存のトレッドミルの支持フレーム７０は、ベース７１及び２本のスタンド７２を備え、その内、該ベース７１は、前端両側にそれぞれガイドタブ７１１が設けられ、該ガイドタブ７１１にレール７１２が形成され、該スタンド７２は、ベース７１の前端両側に設置され、回転軸７２１がガイドタブ７１１のレール７１２を通過するようにスタンド７２の下端に取り付けられ、スタンド７２が回転軸７２１によって枢転可能にベース７１の前端に取り付けられる。スタンド７２が回転軸７２１を介してレール７１２に沿って下方へ枢転すると、スタンド７２がベース７１に接近しながら折り畳むことができる。その構造を有すれば、トレッドミルの体積を縮小して搬送することが簡単になる。
【考案の概要】
【考案が解決しようとする課題】
【０００３】
しかしながら、既存のトレッドミル用の折畳みフレームは、ガイドタブや回転軸などの部材を備え、これらの部材がそれぞれベース及びスタンドに取り付けることから、部材が多くて構造が複雑で、フレームの組み立てが面倒であり、生産コストも高くなり、改良する必要があった。
【課題を解決するための手段】
【０００４】
上述した問題を解決するために、本考案に係るトレッドミル用の折畳みフレームは、支持台と、２本のスタンドと、ハンドルとを有し、
その内、前記支持台の前端両側の上面に、中空状の管体である２つの挿設部が設けられ、
前記スタンドはそれぞれ、細長状の中空管体であり、下端に第一端が設けられ、上端に第二端が設けられ、該第一端が支持台の挿設部に枢設され、該第一端が少なくとも１つの下ファスナーによって支持台の挿設部に固定され、
前記ハンドルの前端近傍の底面に結合部が凸設され、該結合部がスタンドの第二端に挿し込むように枢設され、該ハンドルが上ファスナーによってスタンドの第二端に固定されるものである。
【０００５】
かかるトレッドミル用の折畳みフレームにおいて、前記スタンドの第一端が支持台の挿設部に環設され、該第一端の内面が挿設部の外面に当接されてもよい。
【０００６】
かかるトレッドミル用の折畳みフレームにおいて、前記下ファスナーがスタンドの前面を通過して挿設部の前面に固定されることが好ましい。
【０００７】
かかるトレッドミル用の折畳みフレームにおいて、前記スタンドの第一端が支持台の挿設部の内部に挿し込まれ、該第一端の外面が挿設部の内面に当接されてもよい。
【０００８】
かかるトレッドミル用の折畳みフレームにおいて、前記下ファスナーが挿設部の前面を通過してスタンドの前面に固定されることが好ましい。
【０００９】
かかるトレッドミル用の折畳みフレームにおいて、前記ハンドルの底面に位置決め部が横方向に延設され、該位置決め部がスタンドの内部に位置すると共に、上ファスナーがスタンド及び位置決め部に貫設されることが好ましい。
【００１０】
かかるトレッドミル用の折畳みフレームにおいて、前記ハンドルの両側底部にそれぞれ固定タブが設けられ、該固定タブが結合部と垂直するように設けられてスタンドの前面に当接され、上ファスナーがスタンド及び固定タブに貫設されることが好ましい。
【００１１】
かかるトレッドミル用の折畳みフレームにおいて、前記ハンドルの両側底部に２枚の保持タブが設けられ、これらの保持タブが平行するように結合部の左右両側に設けられてスタンドの両側を保持することが好ましい。
【考案の効果】
【００１２】
本考案に係るトレッドミル用の折畳みフレームは、枢転可能な折り畳み構造が直接にフレームに形成されることから、部品の数量を減少すると共に、トレッドミル用の折畳みフレームを簡単に折り畳むことができ、さらに、生産コストも節約することができる。
【図面の簡単な説明】
【００１３】
【図１】本考案に係るトレッドミル用の折畳みフレームの第一実施例の斜視図である。
【図２】本考案に係るトレッドミル用の折畳みフレームの第一実施例の部分拡大断面図である。
【図３】本考案に係るトレッドミル用の折畳みフレームの第一実施例の部分拡大分解斜視図である。
【図４】本考案に係るトレッドミル用の折畳みフレームの第一実施例の部分拡大分解斜視図である。
【図５】本考案に係るトレッドミル用の折畳みフレームの第一実施例において、折畳み操作を示す側面視平面図である。
【図６】本考案に係るトレッドミル用の折畳みフレームの第一実施例において、折畳み操作を示す側面視平面図である。
【図７】本考案に係るトレッドミル用の折畳みフレームの第二実施例の部分拡大断面図である。
【図８】本考案に係るトレッドミル用の折畳みフレームの第二実施例の部分拡大分解斜視図である。
【図９】本考案に係るトレッドミル用の折畳みフレームの第二実施例の部分拡大分解斜視図である。
【図１０】既存のトレッドミルの支持フレームの斜視図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１乃至図３に示すように、本考案に係るトレッドミル用の折畳みフレームの第一実施例のフレームＡは、支持台１０と、２本のスタンド２０と、ハンドル３０とを有する。
【００１６】
図１及び図２に示すように、前記支持台１０は、Ｕ字形のベース１１及び２つの挿設部１２を備え、該挿設部１２はそれぞれ、中空状且つ矩形を呈する管体であり、ベース１１の前端両側の上面に斜めに設けられ、前面に当接面１２１が形成され、該当接面１２１の上部及び下部にそれぞれ下固定孔１２２が形成され、該下固定孔１２２がねじ穴である。また、該挿設部１２の後面に枢設管１２３が設けられる。
【００１７】
図２及び図３に示すように、前記スタンド２０はそれぞれ、支持台１０の挿設部１２に環設するように枢設され、細長状を呈する矩形の中空管体であり、下端に第一端２１が設けられ、上端に第二端２２が設けられ、該第一端２１の後面に下開口２１１が形成され、該第一端２１の前面における下固定孔１２２と対応する箇所に下貫通孔２１２が形成される。
該スタンド２０の第一端２１が支持台１０の挿設部１２に環設される時に、該スタンド２０の内面が支持台１０の挿設部１２の当接面１２１に当接され、２つの下ファスナー２１３がそれぞれ下貫通孔２１２を通過して下固定孔１２２に螺合される。該下ファスナー２１３は、ボルトであることが好ましい。また、該第一端２１の左側及び右側にそれぞれ枢設穴２１４が形成され、これらの枢設穴２１４が挿設部１２の枢設管１２３と対応しながら、枢転軸２１５が枢設穴２１４及び枢設管１２３に貫設される。これによれば、スタンド２０が枢転軸２１５を軸心として支持台１０に対して枢転することができる。
【００１８】
図２及び図４に示すように、前記スタンド２０の第二端２２は、後面に上開口２２１が形成され、該上開口２２１近傍の一側の内壁に枢設部２２２が凸設され、他側の内壁における枢設部２２２と対応する箇所に枢設穴２２３が形成され、第二端２２の前面近傍の相対する両側にそれぞれ対応する位置決め穴２２４が形成される。
【００１９】
図２及び図４に示すように、前記ハンドル３０は、Ｕ字形を呈し、前端近傍の底面に結合部３１が凸設され、該結合部３１にスタンド２０の枢設部２２２と対応する結合穴３１１が形成される。ハンドル３０がスタンド２０に枢設される時に、結合部３１がスタンド２０の第二端２２に挿し込むように枢設され、ボルト３１２が結合穴３１１及び枢設部２２２に貫設されることによって、ハンドル３０がボルト３１２を軸心としてスタンド２０の後側の上開口２２１へ枢転することができる。
また、該ハンドル３０の底面における位置決め穴２２４と対応する箇所に管状の位置決め部３１３が横方向に延設され、ハンドル３０がスタンド２０に固定される場合に、位置決め部３１３が位置決め穴２２４と対応するようにスタンド２０の内部に位置すると共に、上ファスナー３１４が位置決め穴２２４及び位置決め部３１３に貫設され、ハンドル３０をスタンド２０に固定することができる。該上ファスナー３１４がボルトであることが好ましい。
【００２０】
図５に示すように、フレームＡを折畳む時に、まず上ファスナー３１４を取り外して、ハンドル３０がボルト３１２を軸心として回転しながら、スタンド２０の後方へ枢転する。そして、図６に示すように、スタンド２０の下ファスナー２１３を取り外して、スタンド２０が枢転軸２１５を軸心として回転しながら、支持台１０に向かうように枢転する。これによれば、ハンドル３０、２本のスタンド２０、支持台１０を折畳むことができる。
【００２１】
図７乃至図９に示すように、第二実施例は、殆ど第一実施例と同一であるが、以下の点において異なる。
本実施例のフレームＡ１は、支持台１０と、２本のスタンド２０Ａと、ハンドル３０Ａとを有し、その内、該スタンド２０Ａの第一端２１が支持台１０の挿設部１２の内部に挿し込むように枢設され、該スタンド２０Ａの外面が挿設部１２の内面に当接され、第二端２２が前面に固定穴２２５が形成され、ハンドル３０Ａの結合部３１が第二端２２の内部に挿し込むように枢設され、該ハンドル３０Ａの両側底部にそれぞれ固定タブ３２及び２枚の保持タブ３３が設けられ、該固定タブ３２が結合部３１と垂直するように設けられてスタンド２０の前面に当接される。該固定タブ３２における固定穴２２５と対応する箇所に貫通孔３２１が形成され、上ファスナー３２２が貫通孔３２１を通過して固定穴２２５に螺合される。
このため、ハンドル３０Ａがスタンド２０Ａの上部に固定され、それらの保持タブ３３が平行するように結合部３１の左右両側に設けられてスタンド２０Ａの両側を保持することができる。一方、上ファスナー３２２を取り外すと、ハンドル３０Ａがスタンド２０Ａに向かうように折畳むことができる。
本実施例における他の構造または使用方法が殆ど第一実施例と同一であることから、これらの説明を省略する。
【００２２】
本考案に係るトレッドミル用の折畳みフレームは、枢転可能な折り畳み構造が直接にフレームＡ、Ａ１に形成されることから、部品の数量を減少すると共に、トレッドミル用の折畳みフレームを簡単に折り畳むことができ、さらに、生産コストも節約することができる。
【符号の説明】
【００２３】
Ａ、Ａ１      フレーム
１０          支持台
１１          ベース
１２          挿設部
１２１        当接面
１２２        下固定孔
１２３        枢設管
２０、２０Ａ  スタンド
２１          第一端
２１１        下開口
２１２        下貫通孔
２１３        下ファスナー
２１４        枢設穴
２１５        枢転軸
２２          第二端
２２１        上開口
２２２        枢設部
２２３        枢設穴
２２４        位置決め穴
２２５        固定穴
３０、３０Ａ  ハンドル
３１          結合部
３１１        結合穴
３１２        ボルト
３１３        位置決め部
３１４        上ファスナー
３２          固定タブ
３２１        貫通孔
３２２        上ファスナー
３３          保持タブ
７０          支持フレーム
７１          ベース
７１１        ガイドタブ
７１２        レール
７２          スタンド
７２１        回転軸
【図１】
0003191899.tif 000003
【図２】
0003191899.tif 000004
【図３】
0003191899.tif 000005
【図４】
0003191899.tif 000006
【図５】
0003191899.tif 000007
【図６】
0003191899.tif 000008
【図７】
0003191899.tif 000009
【図８】
0003191899.tif 000010
【図９】
0003191899.tif 000011
【図１０】
0003191899.tif 000012